【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
無線基地局（２，１２０ａ，１２０ｂ，１３０ａ，１４０ａ）と移動端末機器（１７，１７０，１７００）の間で無線信号を用いてデータを伝送するマルチアンテナ無線ネットワーク接続における伝送チャネル選択方法であって、
無線基地局（２，１２０ａ，１２０ｂ，１３０ａ，１４０ａ）と移動端末機器（１７，１７０，１７００）が、それぞれ少なくとも二つのアンテナ（４，５，６，７）を備え、それらのアンテナを介して、無線接続のための複数の伝送パス（８，９，１０，１１）と、チャネルマトリックスに対応して、これらの伝送パス（８，９，１０，１１）の中の一つ又は複数をそれぞれ使用する、データ伝送のための少なくとも二つの伝送チャネルとが構成され、
移動端末機器（１７，１７０，１７００）が、データを取得するために、端末機器のアンテナ（６，７）の中の少なくとも一つから受信した無線信号を復号することが可能な少なくとも一つのデコーダ（１６）を備えており、
この伝送チャネル選択により、これらの伝送パス（８，９，１０，１１）の中の如何なる伝送パスを介して、及び／又は如何なる通信システム方式を用いて、無線基地局（２，１２０ａ，１２０ｂ，１３０ａ，１４０ａ）と移動端末機器（１７，１７０，１７００）の間のデータ伝送を行なうかを決定する、
方法において、
移動無線基地局（２，１２０ａ，１２０ｂ，１３０ａ，１４０ａ）から伝送パス（８，９，１０，１１）を介して移動端末機器（１７，１７０，１７００）に、少なくとも一つの通信システム方式により第一のデータのための移動無線信号を伝送する工程と、
伝送チャネル毎に、移動無線信号をデコーダ（１６）に供給する工程と、
デコーダ（１６）が、移動無線信号を復号して、それにより伝送チャネル毎に第一のデータを取得する工程と、
この復号した第一のデータを用いて、伝送チャネル毎に、各伝送チャネルを介したデータ伝送の品質を表す少なくとも一つの品質値を生成する工程と、
これらの伝送チャネルの品質値の比較に基づき、ユーザデータを構成する第二のデータを次に伝送するための伝送チャネル選択を行なう工程と、
を有する方法。
【請求項２】
当該の伝送パス（８，９，１０，１１）の中の如何なる伝送パスを介して、無線基地局（２，１２０ａ，１２０ｂ，１３０ａ，１４０ａ）と移動端末機器（１７，１７０，１７００）の間のデータ伝送を行なうかを決定するために、復号した第一のデータに基づき、チャネルマトリックスの係数を少なくとも評価することを特徴とする請求項１に記載の方法。
【請求項３】
無線基地局（２，１２０ａ，１２０ｂ，１３０ａ，１４０ａ）の少なくとも一つのアンテナ（４，５）と移動端末機器（１７，１７０，１７００）の少なくとも一つのアンテナ（６，７）が、少なくとも二つの異なる通信システム方式に基づきデータを伝送するように構成されていることを特徴とする請求項１又は２に記載の方法。
【請求項４】
当該の品質値を決定するために、少なくともデータ伝送速度、チャネルマトリックスに基づき算出された伝送チャネルの条件数及び／又は伝送チャネルのスペクトル効率を検出して用いることを特徴とする請求項１から３までのいずれか一つに記載の方法。
【請求項５】
当該の品質値を決定するために、所与の受信帯域幅と無線接続に使用される伝送プロトコルのプリアンブルの少なくとも一部とに渡って積分が行なわれることを特徴とする請求項１から４までのいずれか一つに記載の方法。
【請求項６】
複数の使用可能な伝送パス（８，９，１０，１１）に対して、一つのチャネルマトリックスを作成することを特徴とする請求項１から５までのいずれか一つに記載の方法。
【請求項７】
当該の無線ネットワーク接続が移動無線接続又はＷＬＡＮ接続であることを特徴とする請求項１から６までのいずれか一つに記載の方法。
【請求項８】
当該の無線基地局（２，１２０ａ，１２０ｂ，１３０ａ，１４０ａ）が固定局であり、当該の移動端末機器（１７，１７０，１７００）が自動車に固定接続された機器であることを特徴とする請求項１から７までのいずれか一つに記載の方法。
【請求項９】
車両が車体を備え、当該の移動端末機器（１７，１７０，１７００）のアンテナ（６，７）が車体の外に搭載されていることを特徴とする請求項８に記載の方法。
【請求項１０】
特に、請求項１から９までのいずれか一つに基づき、移動端末機器（１７，１７０，１７００）と中央ユニット（６）の間でデータ接続を構築するために、それぞれ異なる伝送方式に対応する無線伝送チャネル及び／又は異なるインフラストラクチャコンポーネントを使用する無線伝送チャネルのグループから一つの無線伝送チャネルを選択する方法であって、
中央ユニット（６）が、局所領域（Ａ，Ｂ）に配置された第一のローカルユニット（２，１２０ａ，１２０ｂ，１３０ａ，１４０ａ）と接続することが可能であり、このローカルユニットを介して、異なる伝送方式の中の第一の伝送方式に対応する第一の無線伝送チャネル及び／又は第一のインフラストラクチャコンポーネントを使用する第一の無線伝送チャネルを用いて、移動ユニット（１７，１７０，１７００）とのデータ伝送接続を構築することが可能であり、
中央ユニット（６）が、局所領域（Ａ，Ｂ）に配置された第二のローカルユニット（２，１２０ａ，１２０ｂ，１３０ａ，１４０ａ）と接続することが可能であり、このローカルユニットを介して、異なる伝送方式の中の第二の伝送方式に対応する第二の無線伝送チャネル及び／又は第二のインフラストラクチャコンポーネントを使用する第二の無線伝送チャネルを用いて、移動ユニット（１７，１７０，１７００）とのデータ伝送接続を構築することが可能であり、
移動ユニット（１７，１７０，１７００）は、それぞれ二つの無線伝送チャネルの中の一方を介してデータを伝送するように構成された少なくとも二つの無線ユニット（９，１０，１１）を備えており、
この無線伝送チャネルのグループからの無線伝送チャネルの選択が、移動ユニット（１７，１７０，１７００）の外で生成及び／又は保存された制御データを用いて行なわれる、
方法。
【請求項１１】
当該の制御データが、中央ユニット（６）及び／又はローカルユニット（１２０ａ，１３０ａ，１４０ａ）の中の少なくとも一つにより生成されて、移動端末機器（１７，１７０，１７００）に提供及び／又は伝送されることを特徴とする請求項１０に記載の方法。
【請求項１２】
当該の選択が移動ユニット（１７，１７０，１７００）で行なわれることを特徴とする請求項１０又は１１に記載の方法。
【請求項１３】
当該の無線伝送チャネルのグループからの無線伝送チャネルの選択のために、局所領域（Ａ，Ｂ）における無線伝送チャネルの中の少なくとも一つとの少なくとも一つの以前の無線接続に関するデータ、所謂履歴データを使用することを特徴とする請求項１０から１２までのいずれか一つに記載の方法。
【請求項１４】
移動ユニット（１７，１７０，１７００）、特に、移動ユニット（１７，１７０，１７００）の少なくとも一つの制御部には、無線伝送品質に関して重要な測定値を検出して、無線伝送区間の選択に使用するための少なくとも一つのセンサ（１６０ａ）が配備されていることを特徴とする請求項１から１３までのいずれか一つに記載の方法。
【請求項１５】
移動端末機器（１７，１７０，１７００）と中央ユニット（６）の間でデータ接続を構築することを可能とする、それぞれ異なる伝送方式に対応する無線伝送チャネル及び／又は異なるインフラストラクチャコンポーネントを使用する無線伝送チャネルのグループから一つの無線伝送チャネルを選択するための装置であって、
請求項１から１４までのいずれか一つに記載の方法を実行するための手段を備えた装置。
【請求項１６】
移動端末機器（１７，１７０，１７００）と中央ユニット（６）の間でデータ接続を構築するために、それぞれ異なる伝送方式に対応する無線伝送チャネル及び／又は異なるインフラストラクチャコンポーネントを使用する無線伝送チャネルのグループから一つの無線伝送チャネルを選択するコンピュータプログラム製品であって、
このコンピュータプログラム製品をコンピュータにロードして実行した場合に、請求項１から１４までのいずれか一つに記載の方法を実現するコンピュータプログラム製品。